(57)【要約】【課題】遊技機のメダル払出口から侵入された異物によるメダル選別装置への不正行為を防止する。【解決手段】遊技機の一例であるスロットマシンは、メダル投入口に投入されたメダルＭが規定に適合しているか否かを判別し、メダルＭが規定に適合していると判別されるとメダルＭをホッパ装置側へ送り出し、メダルＭが規定に適合していないと判別されるとメダルＭを排出するメダル選別装置４０と、この装置から排出されるメダルを受け入れて下方へ延びてメダル選別装置４０から排出されたメダルをメダル払出口に案内するガイド部材７０とを備える。ガイド部材７０の内面に、先端側がガイド部材７０の内側斜め下方へ延びて下側に上方へ延びる空間部７５を形成する突出部材７４を複数設け、突出部材７４を上下方向に所定間隔を有してガイド部材７０の一方側の側板７２の内面と他方側の側板７３の内面に交互に配設する。【選択図】図５
2008245758.tif 000002
【特許請求の範囲】
【請求項１】
メダル投入口に投入されたメダルが規定に適合しているか否かを判別し、前記メダルが前記規定に適合していると判別されると前記メダルをホッパ装置側へ送り出し、前記メダルが前記規定に適合していないと判別されると前記メダルを排出するメダル選別装置と、該メダル選別装置から排出されるメダルを受け入れて下方へ延びて前記メダル選別装置よりも下方位置に配設されたメダル払出口に連通し、前記メダル選別装置から排出されたメダルを前記メダル払出口に案内するガイド部材とを備えた遊技機であって、
前記ガイド部材の内面に、先端側が該ガイド部材の内側に進むに従って斜め下方へ延びる突出部材を複数設け、
前記突出部材を上下方向に所定間隔を有して前記ガイド部材の一方側の内面と他方側の内面に交互に配設することを特徴とする遊技機。
【請求項２】
前記突出部材の下側に、側面視において上方へ延びる空間部が形成されることを特徴とする請求項１に記載の遊技機。
【発明の詳細な説明】
【技術分野】
【０００１】
本発明は、メダル投入口に投入されたメダルが規定に適合しているか否かを判別するメダル選別装置を備えた遊技機に関し、特に、メダルを排出するメダル払出口からの異物の侵入によりメダル選別装置に対して行われる不正行為を防止する対策を施した遊技機に関する。
【背景技術】
【０００２】
従来、スロットマシン、パチンコ等の遊技機には、遊技をするために遊技者がメダル投入口から投入したメダルの適否を判別して規定のメダルのみを選別するメダル選別装置が備えられたものが一般的に知られている。
【０００３】
このようなメダル選別装置は、特許文献１に記載されており、投入されたメダルが一定の寸法形状である等の所定の条件を満たしているか否かを判別するメダル選別手段と、リールが回転中である等、遊技機が新たなメダルの投入を禁止する状態で投入されたメダルを強制的に排除する強制排除手段と、メダル選別手段及び強制排除手段を通過して受け入れられたメダルを検知するメダルセンサを有して構成されている。
【０００４】
この従来のメダルセンサは、発光素子と受光素子とからなる反射型の光センサであり、強制排除手段から導かれるメダルの案内通路に沿って２個の光センサが並べて配設されている。そして、各光センサが、その前面を通過するメダルによって反射される反射光を検知し、そのタイミング差でメダルの移動を検知する方法が一般的に採られている。
【０００５】
【特許文献１】特開２００６−２９６９５０号公報
【発明の開示】
【発明が解決しようとする課題】
【０００６】
このような従来のメダルセンサでは、メダル選別装置に対して異物を侵入させて、異物の先端に設けた発光素子をメダルの通過と同じ発光タイミングで発光させると、メダル通過と疑似的な状態の再現が可能となり、メダルセンサを誤作動させる不正行為が問題となっている。
【０００７】
また従来のメダル選別装置を有したスロットマシン８０は、図７（ａ）（斜視図）及び図７（ｂ）（内部構造図）に示すように、フロントパネル８１の下部に開口してメダルを排出するメダル払出口１１ｊとメダル選別装置４０との間に、メダル選別装置４０から排出されたメダルを受け入れてメダル払出口１１ｊにメダルを案内する上下方向に延びるガイド部材８２を有しているので、メダル払出口１１ｊから針金等の異物が挿入されると、その先端部はガイド部材８２内を通ってメダル選別装置４０内に移動して、メダル選別装置４０のメダルセンサに対して誤作動させる不正行為が許容してしまう構造になっていた。このため、このような不正行為を防止可能な遊技機の提供が望まれていた。
【０００８】
本発明は、このような要望に応えるものであり、遊技機のメダル払出口から侵入された異物によるメダル選別装置に対する不正行為を防止可能な遊技機を提供することを目的とする。
【課題を解決するための手段】
【０００９】
このような課題を解決するため、本発明は、以下の特徴を有する。特徴の一つは、メダル投入口に投入されたメダルが規定に適合しているか否かを判別し、メダルが規定に適合していると判別されるとメダルをホッパ装置側へ送り出し、メダルが規定に適合していないと判別されるとメダルを排出するメダル選別装置と、メダル選別装置から排出されるメダルを受け入れて下方へ延びてメダル選別装置よりも下方位置に配設されたメダル払出口に連通し、メダル選別装置から排出されたメダルをメダル払出口に案内するガイド部材とを備えた遊技機（例えば、実施形態におけるスロットマシン１）であって、ガイド部材の内面に、先端側が該ガイド部材の内側に進むに従って斜め下方へ延びる突出部材を複数設け、突出部材を上下方向に所定間隔を有してガイド部材の一方側の内面と他方側の内面に交互に配設することを特徴とする。
【００１０】
この特徴によれば、ガイド部材の内面に、先端側が該ガイド部材の内側に進むに従って斜め下方へ延びる突出部材を複数設け、突出部材を上下方向に所定間隔を有してガイド部材の一方側の内面と他方側の内面に交互に配設することで、メダル払出口から針金等の異物が侵入されても、異物の先端部はガイド部材内のいずれかの突出部材の下面に突き当たる。そしてさらに異物が侵入されると、その先端部は突出部材の下面に沿って上方へ移動して、突出部材の基端側端部とガイド部材の内面とで囲まれた角部に移動して異物の移動が完全に阻止される。このため、異物がメダル選別装置に到達することはなく、メダル選別装置に対する不正行為を確実に防止することができる遊技機を提供することができる。
【００１１】
また特徴の一つは、突出部材の下側に側面視において上方へ延びる空間部を形成することによって、メダル払出口から針金等の異物が侵入された場合、異物の先端部が空間部内に入ると、この異物の先端部は空間部の奥側に移動して、突出部材の基端側端部とガイド部材の内面とで囲まれた角部に移動する。このため、異物の移動を空間部内で確実に阻止することができる。
【発明の効果】
【００１２】
本発明に係わる遊技機によれば、上記特徴を有することによって、遊技機のメダル払出口から侵入された異物によるメダル選別装置に対する不正行為を防止可能な遊技機を提供することができる。
【発明を実施するための最良の形態】
【００１３】
以下、本発明に係わる遊技機の好ましい実施の形態を図１から図６に基づいて説明する。尚、本実施の形態は、遊技機の一例であるスロットマシンについて説明する。
【００１４】
スロットマシン１は、図１（斜視図）及び図２（内部構造図）に示すように、遊技者に面するフロントドア１０と、フロントドア１０を開閉自在に取り付けた筐体６０とを有して構成される。フロントドア１０は、機械的に強固な硬質プラスチック製のパネル部１１に矩形状の枠組み１３を取り付けて構成されている。
【００１５】
枠組み１３は、パネル部１１内の左右両側の側壁１１ａ，１１ｂに沿って取り付けられた一対の縦フレーム１４，１５と、パネル部１１の上壁１１ｃの内側に沿ってパネル部幅方向に延びる横フレーム１６とを有してなる。右側の側壁１１ｂに沿って取り付けられた縦フレーム１５に施錠装置ユニット１８が取り付けられている。
【００１６】
パネル部１１の上部には、演出用の上部ランプ１１ｄ、スピーカを備えた放音部１１ｅ，１１ｆ、液晶ディスプレイ等を有した演出表示装置１１ｇが配設されている。そして、パネル部１１の中間部には、透明な硬質プラスチック板で形成された略長方形状の透過窓ＷＤと演出用ランプ１１ｈ，１１ｉが設けられ、筐体６０内に設けられたリール装置６１のリールＲ１、Ｒ２、Ｒ３を、遊技者が透過窓ＷＤを介して見ることが可能となっている。
【００１７】
パネル部１１の中間部の下側には、遊技者が操作するための操作パネル部２０が設けられ、この操作パネル部２０には各種のボタン等（メダル投入部ＭＤ、ベットボタンＢ、スタートレバーＳＴ、ストップボタンＳＰ１，ＳＰ２，ＳＰ３）が設けられている。
【００１８】
操作パネル部２０の右端には、フロントドア１０を開錠するための施錠装置ユニット１８の鍵穴ＫＹが設けられ、鍵穴ＫＹに正規の鍵を挿入して開錠操作すると、フロントドア１０を筐体６０から開くことが可能となっている。また、操作パネル部２０の左端には、精算ボタンＭＲが設けられ、ゲームに賭けたメダルの払い出しを指示すると共に、メダルクレジット手段（図示せず）が内部保留したメダルの払い出しの指示が可能になっている。
【００１９】
パネル部１１の下部には、本スロットマシン１のゲーム内容を紹介等するための絵（図示せず）が描かれた下パネル３０が設けられ、下パネル３０の左右方向両外側のパネル部１１には演出用ランプ２２，２２が設けられている。下パネル３０の下方には、遊技メダルを払い出すためのメダル払出口１１ｊ、メダル受皿１１ｋ、放音部１１ｍが設けられている。
【００２０】
フロントドア１０の裏面側の上部には、前述した放音部１１ｅ，１１ｆのスピーカＳＬ，ＳＲが設けられ、スピーカＳＬ，ＳＲの間には前述した演出表示装置１１ｇが設けられている。演出表示装置１１ｇの下方には、透過窓ＷＤを形成する略長方形状の枠体１９が取り付けられており、この枠体１９の下方には、メダル投入部ＭＤに設けられたメダル投入口ＭＤ1より投入された投入物が正規の遊技メダルか否かを判別して振り分けるメダル選別装置４０と、メダル選別装置４０で振り分けられた遊技メダルを筐体６０側に設けられたホッパ装置ＨＰへ案内するガイド部材Ｇ１と、メダル選別装置４０で振り分けられたメダル（又は異物）をメダル払出口１１ｊへ案内するガイド部材７０と、ホッパ装置ＨＰから出力される払い出し用のメダルをメダル払出口１１ｊへ案内するガイド部材Ｇ２とが設けられている。メダル払出口１１ｊの近傍には、前述した放音部１１ｍを構成するスピーカＳＷが取り付けられている。メダル選別装置４０の詳細については後述する。
【００２１】
枠体１９とメダル選別装置４０との間には、長尺状の電気回路基板で形成された中央表示基板２１が取り付けられ、この中央表示基板２１には、前述した操作パネル部２０に設けられているベットボタンＢと、スタートレバーＳＴと、ストップボタンＳＰ１，ＳＰ２，ＳＰ３等が電気的に配線接続されている。これらＢ，ＳＴ，ＳＰ１，ＳＰ２，ＳＰ３の出力信号はハーネスを介して筐体６０に設けられたメイン制御基板２４に転送される。
【００２２】
筐体６０内には、主電源装置ＰＷＵと、ホッパ装置ＨＰから溢れた遊技メダルを収容する補助貯留部ＳＨＰが設けられる他、前述したリール装置６１が設けられている。主電源装置ＰＷＵの側面には電源装置基板２５が取り付けられ、リール装置６１の上端には回胴装置基板２６が取り付けられ、リール装置６１の上方には前述したメイン制御基板２４が取り付けられている。メイン制御基板２４は、半導体メモリ（ＲＯＭ）とマイクロプロセッサ（ＭＰＵ）等が搭載されており、このマイクロプロセッサ（ＭＰＵ）が、半導体メモリ（ＲＯＭ）に予め記憶されているシステムプログラムとスロットマシンゲーム用のプログラムを実行し、電源装置基板２５、回胴装置基板２６及び後述するサブ制御基板１７に所定の指令を行って夫々に分散制御を行わせることにより、本スロットマシン１全体を集中制御する。
【００２３】
演出表示装置１１ｇの裏面側には、電気回路基板で形成されたサブ制御基板１７が設けられている。このサブ制御基板１７は、演出表示装置１１ｇによって表示される演出画像の制御を行うマイクロプロセッサと、このマイクロプロセッサが実行するコンピュータプログラム及び演出用データを記憶した読み出し専用メモリ（ＲＯＭ）と、演出処理の実行中に生じる各種データを一時的に記憶するランダムアクセスメモリ（ＲＡＭ）等を備えた電気回路が搭載されている。そして、このサブ制御基板１７は、メイン制御基板２４からの制御信号に従って、上部ランプ１１ｄ，演出用ランプ１１ｈ，１１ｉ，２２とスピーカＳＲ，ＳＬ，ＳＷを駆動して遊技者の視覚及び聴覚に訴える演出を行うと共に、演出表示装置１１ｇを制御して遊技内容に応じた演出表示を行わせる。
【００２４】
このサブ制御基板１７は、不正行為を防止するための基板ケース２７内に収容されており、この基板ケース２７ごと一体として演出表示装置１１ｇの裏面側に着脱可能に取り付けられている。
【００２５】
メダル選別装置４０は、図３（内部構造図）に示すように、硬質プラスチック等の合成樹脂材料で一体成形されたケース４１と、ケース４１内に配設されて上下方向に延びてケース４１の内部空間を仕切ってケース４１内の一方側（紙面手前側）に下部が開口した空間部を形成する仕切り板４２と、仕切り板４２の一方側の面に対して開閉可能に取り付けられて仕切り板４２の略上半分を覆う板金製のゲートプレート４３を備える。ゲートプレート４３がケース４１内の上下方向に延びる仕切り板４２に対向配置されると、これら相互間に隙間が形成されて、上部のメダル入口４４からゲートプレート４３の下端部に形成されてさらに左右方向に延びる転送レール部４５を通って右側下部に開口するメダル出口４６に延びるメダル案内通路が形成される。このメダル案内通路の上流側に規定の径や厚さを超えるメダルを排除するメダル選別手段４８が設けられ、メダル案内通路の下流側にはメダルの通過を検出するメダルセンサ５０が設けられ、メダル案内通路の中間部にメダルを強制的に排除する強制排除手段５２が設けられている。
【００２６】
メダル選別手段４８は、規定以下のメダルＭ（又は異物）がメダル入口４４に投入されると、これを転送レール部４５のレール面から外して下方へ落下させ、規定以上のメダルＭ（又は異物）がメダル入口４４に投入されるとこれを通過させないようになっている。メダルセンサ５０はメダルＭの移動方向に沿って配置された２個の反射型フォトセンサから構成され、反射型フォトセンサは、それぞれの前面に発光素子と受光素子が並設された受発光部が形成されている。
【００２７】
メダル選別装置４０は、メダルＭが転送レール部４５に案内されてメダルセンサ５０の各フォトセンサの前側を通過すると、これらの検知信号のタイミングが予め定められた順序であって、且つ許容時間差内であると判定されると、このメダルＭを正規のメダルの検出とみなし、メダル投入信号をメイン制御基板２４に送信する。メイン制御基板２４はこの信号を受信すると、クレジットを１だけインクリメントする。
【００２８】
メダル選別装置４０の下方には、メダル選別装置４０で振り分けられて排出されたメダルＭ（又は異物）をメダル払出口１１ｊへ案内するガイド部材７０が設けられている。このガイド部材７０は、図４（斜視図）に示すように、合成樹脂材料で一体成型され、断面が略Ｕ字状に形成されている。ガイド部材７０は上下方向に延びる正面板７１と、正面板７１の左右両端部のそれぞれから正面板７１に対して略直交する方向に延びる一対の側板７２，７３を有してなる。ガイド部材７０は上側が上下方向に延びて下側が斜め屈曲して下方に延びるように形成されている。ガイド部材７０の下部には、斜め上方へ延びるガイド部材Ｇ２が繋がってガイド部材７０の下部と連通している。ガイド部材７０の下部は、ガイド部材７０がパネル部１１の裏面に取り付けられると、メダル払出口１１ｊに対向するように配置される。
【００２９】
ガイド部材７０の側板７２，７３の各内面には、図５（ａ）（側面図）に示すように、先端側がガイド部材７０の内側に進むに従って斜め下方へ延びる板状の突出部材７４が複数設けられている。これらの突出部材７４は上下方向に所定間隔を有してガイド部材７０の一方側の側板７２の内面と他方側の側板７３の内面に交互に配設されている。突出部材７４の傾斜角度θはメダル選別装置４０によって振り分けられて排出されたメダルＭ（又は異物）が突出部材７４の上面に落下したときに、このメダルＭ（又は異物）が突出部材７４の先端側に移動可能な角度を有している。図面では、θが２５°以上の角度に設定されている。
【００３０】
また突出部材７４の先端部とこれに対向する側板７２（７３）の内面との距離Ｌ１及び隣接する突出部材７４，７４の先端部間の距離Ｌ２は、メダルＭ（又は異物）の径φより大きくなるように設定されている。このように距離Ｌ１，Ｌ２を設定すると、メダル選別装置４０で振り分けられて排出されたメダルＭ（又は異物）がガイド部材７０内に落下すると、図５（ｂ）（側面図）及び図５（ｃ）（側面図）に示すように、メダルＭ（又は異物）は突出部材７４に引っ掛かることなくスムースに落下して、ガイド部材７０の下部からメダル払出口１１ｊに排出することができる。
【００３１】
また、ガイド部材７０の内面に、先端側がガイド部材７０の内側に進むに従って斜め下方へ延びる突出部材７４を複数設ける。そして、突出部材７４の下側には側面視において上方へ延びるクサビ状の空間部７５を形成する。また突出部材７４は上下方向に所定間隔を有してガイド部材７０の一方側の側板７２の内面と他方側の側板７３の内面に交互に配設する。このように突出部材７４を設けることで、メダル払出口１１ｊから針金等の細長い異物Ｉが侵入された場合、その先端部が空間部７５内に入ると、この異物の先端部は空間部５４の奥側に移動して、突出部材７４の基端側端部とガイド部材７０の内面とで囲まれた角部に移動する。このため、異物の移動を空間部７５内で確実に阻止することができる。このため、異物Ｉがメダル選別装置４０に到達する虞はなく、メダル選別装置４０に対する不正行為を確実に防止することができる。
【００３２】
また突出部材７４は、図６（拡大図）に示すように、その先端部に空間部側へ突出する突起部７４ａを設けて構成してもよい。このように突起部７４ａを設けることで、空間部７５内に入った異物Ｉが空間部７５の角部７５ａで折り返して先端部が空間部７５の開口部側に移動してもこの移動を阻止することができ、異物Ｉがメダル選別装置４０に到達する虞をより低くすることができる。
【００３３】
なお、前述した実施形態では、突出部材７４を直線状に形成されたものを示したが、突出部材７４は、上側を凸状に弯曲させたものや、直線部と上側を凸状に弯曲させた弯曲部を有して構成されたものでもよい。また前述した実施例では、スロットマシン１を例にしたが、パチンコやゲームセンタで用いられているゲーム機などを対象にしてもよい。
【図面の簡単な説明】
【００３４】
【図１】本発明の一実施の形態に係わるスロットマシンの斜視図を示す。
【図２】このスロットマシンのフロントドアを開けた状態におけるフロントドア及び筐体の内部構造図を示す。
【図３】本発明の一実施の形態に係わるスロットマシンに設けられたメダル選別装置の内部構造図を示す。
【図４】メダル選別装置とメダル払出口を連通するガイド部材の斜視図を示す。
【図５】ガイド部材を落下するメダルの動作及びメダル払出口から挿入された異物の移動阻止を説明するためのガイド部材の側面図を示す。
【図６】突出部材の他の実施例を説明するための突出部材の拡大図を示す。
【図７】従来のスロットマシンを示し、同図（ａ）はスロットマシンの全体斜視図であり、同図（ｂ）はフロントドアを開けた状態におけるフロントドア及び筐体の内部構造図である。
【符号の説明】
【００３５】
１  スロットマシン（遊技機）
４０  メダル選別装置
７０  ガイド部材
７４  突出部材
７５  空間部
ＨＰ  ホッパ装置
Ｍ  メダル
ＭＤ1  メダル投入口
【図１】
2008245758.tif 000003
【図２】
2008245758.tif 000004
【図３】
2008245758.tif 000005
【図４】
2008245758.tif 000006
【図５】
2008245758.tif 000007
【図６】
2008245758.tif 000008
【図７】
2008245758.tif 000009